(57)【要約】【課題】送風機の軸受部への冷気の伝わりを防止し、低騒音かつ貯蔵室を所定の温度に安定して保つ事が出来る冷却機器を提供する。【解決手段】冷却器１１の冷気を送風する送風機１３は、モータ支持部１６に軸流ファン１４のボス径と同じ若しくは軸流ファン１４のボス径よりも小さな形状の断熱材１８を設けることによって、冷気により軸流ファン１４の軸受部の温度低下を防ぐことができ、冷蔵庫内が低温雰囲気であったとしても、軸流ファン１４の軸受け部の温度は下がりにくくなっている為、軸流ファン１４の軸受け部のオイル粘度を上がるのを防ぎ、摺動抵抗増加による送風機１３の接触音や拘束状態の発生を未然に防止する。【選択図】図２
2012215139.tif 000002
【特許請求の範囲】
【請求項１】
軸流ファンと、前記軸流ファンの周囲を所定の間隔をおいて囲むマウスリングを形成したケースとで構成され、前記軸流ファンは前記ケースの中央部に設けたモータ支持部に取付けられており、前記モータ支持部に断熱材を設けたことを特徴とする送風機。
【請求項２】
断熱材はモータ支持部に設けられ、前記モータ支持部の径と同じ若しくは小さいことを特徴とする請求項１に記載の送風機。
【請求項３】
前記断熱材に防水処理を施したことを特徴とする請求項１または２に記載の送風機。
【請求項４】
送風機を回転させることにより、発生する熱により冷蔵庫内の温度が上がってしまう事を防ぐ事を特徴とする請求項１から３のいずれか一項に記載の送風機を備えた冷蔵庫。
【発明の詳細な説明】
【技術分野】
【０００１】
本発明は冷却雰囲気中で使用する送風機及びこの送風機を備えた冷蔵庫などの冷却機器に関するものである。
【背景技術】
【０００２】
従来から、小型、省電力化を目的とした軸流型の送風機が知られており、このような送風機を、冷蔵庫をはじめとし、ショーケース，製氷機，自動販売機，各種空調機器のような冷却機器に適用することは容易に考えられる（例えば特許文献１参照）。
【０００３】
以下図面を参照しながら上記従来の送風機を説明する。
【０００４】
図６は従来の送風機の断面図である。図６において、１４は軸流ファンであり、ケース１５に取付けられている。ケース１５は軸流ファン１４に対して吸込側と吐出側を区画し、吸込側から吐出側への空気の流通を円滑にする為に、軸流ファン１４を所定の間隔をおいて囲むように形成されたマウスリング１７を備えている。
【０００５】
また、ケース１５の軸流ファン１４を取付ける部分についての明確な記載はないが、ケース１５に軸流ファン１４を取付ける支持部があるのは当然のことであり、ケース１５の中央部に軸流ファン１４のボス径とほぼ同一径のモータ支持部１６を設けるのが一般的である。
【先行技術文献】
【特許文献】
【０００６】
【特許文献１】特開２００２−１３０１８８号公報
【発明の概要】
【発明が解決しようとする課題】
【０００７】
しかしながら、従来の図６のような送風機を冷蔵庫などの冷却機器へ適用して、冷却器に近接して配置する場合、庫外からの湿気による結露や除霜で溶けた水が軸流ファン１４やマウスリング１７に付着したままで氷結が進行したり、前記軸流ファン１４の軸受部が低温になる為、前記軸流ファン１４の軸受部に塗布されているオイルの粘度が上昇し、前記軸流ファン１４の軸受部の摺動抵抗が増加し、前記軸流ファン１４が起動不良を起こしてしまうという問題点を生じる。
【課題を解決するための手段】
【０００８】
本発明は、従来の課題を解決するもので、低温に晒されることによりオイルの粘度が上昇し、送風機の騒音の増加や拘束状態の発生を防止するとともに、送風機を正常に動作させることで、低騒音でかつ貯蔵室を所定の温度に安定して保つことが出来る冷却機器を提供することを目的とする。
【発明の効果】
【０００９】
本発明は、前記従来の課題を解決するもので、軸流ファンの信頼性を向上させた冷蔵庫を提供することができる。
【図面の簡単な説明】
【００１０】
【図１】本発明による実施の形態１における冷蔵庫の要部断面図
【図２】本発明による実施の形態１における冷蔵庫の要部正面図
【図３】同実施の形態における冷蔵庫の送風機の正面図
【図４】同実施の形態における冷蔵庫の送風機の断面図
【図５】本発明による実施の形態２における送風機の断面図
【図６】従来の送風機の断面図
【発明を実施するための形態】
【００１１】
第１の発明は、軸流ファンと、前記軸流ファンの周囲を所定の間隔をおいて囲むマウスリングを形成したケースとで構成され、前記軸流ファンは前記ケースの中央部に設けたモータ支持部に取付けられており、前記モータ支持部に断熱材を設けたことを特徴とする送風機であり、モータ支持部が低温雰囲気に晒されても、軸受内部は断熱材により、温度が下がりにくくなる為、温度低下によるオイル粘度増加での前記軸流ファンの起動不良を防止する作用がある。
【００１２】
第２の発明は第１の発明の、断熱材をモータ支持部の外径と同じ若しくは小さい形状としたことを特徴とする送風機であり、送風の妨げることなく、前記軸流ファンの軸受部の温度低下を防止する作用がある。
【００１３】
第３の発明は、第１、第２の発明の、断熱材に防水処理を程祖したものが設けられたことを特徴とする送風機であり、水が付着しても断熱材に無詩文が染み込まなくなる作用がある。
【００１４】
第４の発明は、第１から第３のいずれかに記載の発明において、送風機を回転させることにより、発生する熱により冷蔵庫内の温度が上がってしまう事を防ぐ事を特徴とする冷蔵庫であり、冷蔵庫冷却中のファンモータを回転により発生する、モータの発熱により周囲温度が上がってしまい、冷却効率が下がる事を防止する作用を有する。
【００１５】
以下、本発明の実施の形態について、図面を参照しながら説明する。なお、この実施の形態によって本発明が限定されるものではない。
【００１６】
（実施の形態１）
図１は本発明の実施の形態１による送風機を備えた冷却機器である冷蔵庫の要部断面図、図２は正面図である。図３は同実施の形態の冷蔵庫に用いる送風機の正面図である。図４は同実施の形態の冷蔵庫に用いる送風機の断面図である。
【００１７】
図１において、９は冷却機器の一例としての冷蔵庫本体、１０は冷蔵庫本体９に設けられた冷蔵室であり、冷蔵室１０の背面側には冷却器１１が配置され、冷却器１１を覆う様に、冷気が循環する為の風路を形成する庫内背面ダクト１２が取付けられており、庫内背面ダクト１２には送風機１３が取付けられている。
【００１８】
図３、図４において、送風機１３は軸流ファン１４と、ケース１５から構成され、軸流ファン１４はケース１５の中央部に位置するモータ支持部１６に取付けられている。ケース１５は、軸流ファン１４に対して吸込側と吐出側を区画し、吸込側から吐出側への空気の流通を円滑にする為に、軸流ファン１４を所定の間隔をおいて囲むように形成されたマウスリング１７を備えており、モータ支持部１６の外周部にはモータ支持部１６の径と同じ若しくは小さな断熱材１８が設けられている。
【００１９】
以上の様に構成された冷蔵庫について、以下その動作を説明する。
【００２０】
送風機１３は冷却器１１に近接して配置される為、冷却器１１で生じた冷気により零度以下に冷やされる。このとき、ケース１５のモータ支持部１６から軸流ファン１４の内部
にある軸受け部にまで冷気が伝わっていくのだが、断熱材１８を設けている為、軸流ファン１４の内部には冷気が伝わらず軸流ファン１４の内部の軸受け部ある軸流ファン１４の回転運動を潤滑にするためのオイルが低温に晒されることによる粘度が上昇することを防止出来る。この為、オイル粘度上昇によるファンの回転運動を妨げ異音の発生や、ファン拘束で冷却不能に陥ることを防止でき、信頼性の高い強制通風式の冷蔵庫を提供することが出来る。
【００２１】
（実施の形態２）
図５は、本発明の実施の形態２による送風機の断面図である。
【００２２】
図５において、断熱材１８の大きさを、モータ支持部１６と同じ若しくは小さくすることにより、実施の形態１の効果を損なうことなく、軸流ファン１４により発生する送風の妨げず、ロスのないスムーズな送風が可能となる。
【００２３】
以上の実施の形態においては、冷蔵庫について説明したが、前述のように冷蔵庫（冷凍庫も含む）に限らず、ショーケース，製氷機，自動販売機，各種空調機器など冷却器により冷却機能を発揮する冷却機器であれば同様の構成において同様の効果が得られるものである。
【産業上の利用可能性】
【００２４】
以上のように、本発明にかかる、送風機及び送風機を備えた冷却機器は、軸流ファンの信頼性を向上させた冷蔵庫を提供することが可能となるので、冷却雰囲気中で使用する送風機及びこの送風機を備えた冷蔵庫などの冷却機器等の用途にも適用出来る。
【符号の説明】
【００２５】
９  冷蔵庫
１１  冷却器
１２  庫内背面ダクト
１３  送風機
１４  軸流ファン
１５  ケース
１６  モータ支持部
１７  マウスリング
１８  断熱材
【図１】
2012215139.tif 000003
【図２】
2012215139.tif 000004
【図３】
2012215139.tif 000005
【図４】
2012215139.tif 000006
【図５】
2012215139.tif 000007
【図６】
2012215139.tif 000008